(57)【要約】  【課題】ディスク装置一体型テレビにおいて、水晶発振器の共用によりコストの削減を図りつつ、チューナへのノイズの影響をなくして良質な映像が得られるようにする。  【解決手段】テレビ制御部１０に接続された水晶発振器１３と、この水晶発振器１３とＤＶＤ制御部２０との間に設けられ、水晶発振器１３の出力をＤＶＤ制御部２０に供給するトランジスタＱと、テレビ制御部１０に設けられ、チューナ受信時に所定の制御信号を出力する制御端子Ｔ３と、この制御端子Ｔ３とトランジスタＱとの間に設けられたダイオードＤとを備える。チューナ受信時には、制御端子Ｔ３から出力される制御信号をダイオードＤを介してトランジスタＱのベースに与えて当該トランジスタＱを制御することにより、水晶発振器１３の出力がＤＶＤ制御部２０へ供給されるのを禁止する。【選択図】  図１
2007074052.tif 000002
【特許請求の範囲】
【請求項１】
ディスクに対して記録または再生を行うディスク装置が一体となったテレビであって、
前記テレビに対して設けられ、第１の信号処理部および第１のマイクロコンピュータを含む第１の制御部と、
前記ディスク装置に対して設けられ、第２の信号処理部および第２のマイクロコンピュータを含む第２の制御部と、
を有するディスク装置一体型テレビにおいて、
前記第１の制御部に接続され、前記第１のマイクロコンピュータにクロック信号を供給するための水晶発振器と、
前記水晶発振器と前記第２の制御部との間に設けられ、水晶発振器の出力を第２の制御部に供給するトランジスタと、
前記第１の制御部に設けられ、チューナ受信時に所定の制御信号を出力する制御端子と、
前記制御端子と前記トランジスタとの間に設けられたダイオードとを備え、
チューナ受信時に、前記制御端子から出力される制御信号を前記ダイオードを介してトランジスタのベースに与えて当該トランジスタを制御することにより、前記水晶発振器の出力が第２の制御部へ供給されるのを禁止することを特徴とするディスク装置一体型テレビ。
【請求項２】
ディスクに対して記録または再生を行うディスク装置が一体となったテレビであって、
前記テレビに対して設けられ、第１の信号処理部および第１のマイクロコンピュータを含む第１の制御部と、
前記ディスク装置に対して設けられ、第２の信号処理部および第２のマイクロコンピュータを含む第２の制御部と、
を有するディスク装置一体型テレビにおいて、
前記第１の制御部に接続され、前記第１のマイクロコンピュータにクロック信号を供給するための水晶発振器と、
前記水晶発振器と前記第２の制御部との間に設けられ、水晶発振器の出力を第２の制御部に供給する第１のトランジスタと、
前記第１の制御部に設けられ、チューナ受信時に所定の制御信号を出力する制御端子と、
前記第１のトランジスタの出力側に接続され、前記制御信号により導通状態となる第２のトランジスタとを備え、
チューナ受信時に、前記制御端子から出力される制御信号により第２のトランジスタを導通状態にして第１のトランジスタの出力を接地することにより、前記水晶発振器の出力が第２の制御部へ供給されるのを禁止することを特徴とするディスク装置一体型テレビ。
【請求項３】
ディスクに対して記録または再生を行うディスク装置が一体となったテレビであって、
前記テレビに対して設けられた第１の制御部と、
前記ディスク装置に対して設けられた第２の制御部と、
を有するディスク装置一体型テレビにおいて、
前記第１の制御部に接続され、第１および第２の制御部にクロック信号を供給するための水晶発振器と、
前記第１の制御部に設けられ、チューナ受信時に所定の制御信号を出力する制御端子とを備え、
チューナ受信時に、前記制御端子から出力される制御信号に基づいて、前記水晶発振器の出力が第２の制御部へ供給されるのを禁止することを特徴とするディスク装置一体型テレビ。
【発明の詳細な説明】
【技術分野】
【０００１】
本発明は、テレビとディスク装置とが一体となったディスク装置一体型テレビに関するものである。
【背景技術】
【０００２】
ディスク装置一体型テレビとしては、例えば、ＤＶＤレコーダと液晶テレビとが一体になったものがある。ＤＶＤレコーダは、光ディスクの一つであるＤＶＤ（Digital Versatile Disk）に対して記録再生を行うディスク装置であり、液晶テレビは、表示部に従来のＣＲＴ（Cathode Ray Tube）に代わる液晶パネルを用いたテレビである。
【０００３】
このようなＤＶＤレコーダ一体型テレビにおいて、液晶テレビについては、信号処理部とマイクロコンピュータとを含む第１の制御部が設けられ、ＤＶＤレコーダについては、信号処理部とマイクロコンピュータとを含む第２の制御部が設けられる。そして、各制御部に対して、それぞれのマイクロコンピュータにクロック信号を供給するための水晶発振器が設けられる。すなわち、水晶発振器は、液晶テレビ側とＤＶＤレコーダ側にそれぞれ１つずつ存在している。
【０００４】
しかしながら、液晶テレビとＤＶＤレコーダに対して水晶発振器を別々に設けたのでは、部品点数が多くなってコストが高くなり不経済である。そこで、１つの水晶発振器を液晶テレビとＤＶＤレコーダとで共用することが考えられる。後掲の特許文献１および特許文献２には、発振器の共用に関する技術が記載されている。
【０００５】
特許文献１では、デジタル放送信号が重畳されたセグメントを有するチャンネルのテレビジョン信号を第１中間周波信号に周波数変換する第１の混合器と、第１中間周波信号におけるセグメントのデジタル放送信号を第１中間周波信号よりも周波数が低い第２中間周波信号に周波数変換する第２の混合器とを備えた地上波デジタル放送受信チューナにおいて、第１の混合器に供給する第１局部発振信号と第２の混合器に供給する第２局部発振信号とを共通の基準発振器を用いて生成することにより、基準発振器を１個にしてコスト低減を図っている。
【０００６】
特許文献２では、複数の番組が多重されたトランスポートストリームパケット内の１つの番組の基準となる時刻情報であるＰＣＲ（Program Clock Reference）値を補正するＰＣＲ補正装置において、入力トランスポートストリーム信号からＰＣＲパケットを抽出して解析した結果をＰＣＲ情報として出力し、そのＰＣＲ情報に対応するＰＣＲ値の補正信号を生成し、同期変換後のトランスポートストリーム信号のＰＣＲパケット中のＰＣＲ値をその補正信号に応じた値に付け替えることによって、１個の水晶発振器で全ての番組のＰＣＲ値を補正できるようにしている。
【特許文献１】特開２００４−２３２８６号公報
【特許文献２】特開２００３−１０１９７４号公報
【発明の開示】
【発明が解決しようとする課題】
【０００７】
上記のとおり、テレビ等の映像機器において、従来個別に設けられていた発振器を１個の発振器で共用するという考え方は公知であり、前述したＤＶＤレコーダ一体型液晶テレビにおいても、１つの水晶発振器を液晶テレビとＤＶＤレコーダとで共用することよりコスト削減を図ることができる。しかしながら、このようなディスク装置一体型テレビの場合、単に水晶発振器を共用しただけでは、次のような問題が残る。一般に、テレビ用の回路部品と、ディスク装置用の回路部品とは別々の基板に搭載されており、これらの基板がケーブルで接続されている。したがって、ディスク装置側の水晶発振器を省略して、テレビ側の水晶発振器で共用する場合、例えば周波数２７ＭＨｚの信号がケーブルを介してディスク装置へ供給されるため、この信号に含まれている高調波がテレビのチューナに対して輻射ノイズ源となり、チューナ受信時にテレビ信号にノイズが混入してテレビ画面に現われ、画質の低下を招来する。このため、ディスク装置一体型テレビのような複合機においては、水晶発振器を共用するだけでは、コストは削減できても画質が悪くなって商品価値が低下するという課題がある。上述した特許文献１、２では、このような複合機に特有の問題について何ら言及されていない。
【０００８】
本発明は、上述した課題を解決するものであって、その目的とするところは、ディスク装置一体型テレビにおいて、水晶発振器の共用によりコストの削減を図りつつ、チューナへのノイズの影響をなくして良質な映像が得られるようにすることにある。
【課題を解決するための手段】
【０００９】
本発明に係るディスク装置一体型テレビは、ディスクに対して記録または再生を行うディスク装置が一体となったテレビであって、テレビに対して設けられた第１の制御部と、ディスク装置に対して設けられた第２の制御部とを有する。また、第１の制御部に接続され、第１および第２の制御部にクロック信号を供給するための水晶発振器と、第１の制御部に設けられ、チューナ受信時に所定の制御信号を出力する制御端子とを備える。そして、チューナ受信時に、上記制御端子から出力される制御信号に基づいて、水晶発振器の出力が第２の制御部へ供給されるのを禁止するようにしている。なお、本発明におけるディスク装置は、記録と再生の両機能を備えたもののほか、再生のみの機能を備えたものも含む。
【００１０】
本発明では、チューナ受信時、すなわちテレビ信号の映像を再生する場合は、ディスク装置は休止状態にあって水晶発振器からのクロック信号を必要としないことに着目し、チューナ受信時に出力される制御信号に基づいて、水晶発振器の出力がディスク装置側へ供給されないようにしている。このため、チューナ受信時には、テレビ側とディスク装置側とを接続するケーブルに高調波を含む電流が流れないので、水晶発振器を共用しても、チューナで受信したテレビ信号にノイズが混入することはなく、テレビ画面における画質の低下を防止することができる。
【００１１】
本発明の一つの実施形態においては、テレビに対して設けられた第１の制御部は、第１の信号処理部および第１のマイクロコンピュータを含み、ディスク装置に対して設けられた第２の制御部は、第２の信号処理部および第２のマイクロコンピュータを含む。水晶発振器は、第１のマイクロコンピュータにクロック信号を供給するために、第１の制御部に接続される。水晶発振器と第２の制御部との間には、水晶発振器の出力を第２の制御部に供給するトランジスタが設けられる。第１の制御部には、チューナ受信時に所定の制御信号を出力する制御端子が設けられ、この制御端子と上記トランジスタとの間にダイオードが設けられる。そして、チューナ受信時に、制御端子から出力される制御信号をダイオードを介してトランジスタのベースに与えて当該トランジスタを制御することにより、水晶発振器の出力が第２の制御部へ供給されるのを禁止する。
【００１２】
また、本発明の他の実施形態においては、テレビに対して設けられた第１の制御部は、第１の信号処理部および第１のマイクロコンピュータを含み、ディスク装置に対して設けられた第２の制御部は、第２の信号処理部および第２のマイクロコンピュータを含む。水晶発振器は、第１のマイクロコンピュータにクロック信号を供給するために、第１の制御部に接続される。水晶発振器と第２の制御部との間には、水晶発振器の出力を第２の制御部に供給する第１のトランジスタが設けられる。第１の制御部には、チューナ受信時に所定の制御信号を出力する制御端子が設けられ、この制御信号により導通状態となる第２のトランジスタが第１のトランジスタの出力側に設けられる。そして、チューナ受信時に、上記制御端子から出力される制御信号により第２のトランジスタを導通状態にして第１のトランジスタの出力を接地することにより、水晶発振器の出力が第２の制御部へ供給されるのを禁止する。
【発明の効果】
【００１３】
本発明によれば、チューナ受信時に出力される制御信号に基づいて、水晶発振器出力のディスク装置側への供給を禁止するので、水晶発振器の共用によりコストの削減を図りつつ、チューナへのノイズの影響をなくして良質な映像を得ることができる。
【発明を実施するための最良の形態】
【００１４】
以下、本発明の実施形態を図面に従って説明する。
【００１５】
図１は、本発明の第１実施形態を示す電気回路図である。１は受信した放送信号から所定のチャンネルの信号を抽出するチューナ、１０は液晶テレビに対して設けられたテレビ制御部であって、信号処理回路１１およびマイクロコンピュータ１２を含む１個のＩＣから構成される。２０はＤＶＤレコーダに対して設けられたＤＶＤ制御部であって、信号処理回路２１およびマイクロコンピュータ２２を含む１個のＩＣから構成される。テレビ制御部１０はテレビ用基板（図示省略）に搭載され、ＤＶＤ制御部２０はＤＶＤ用基板（図示省略）に搭載されていて、両基板はケーブルで接続されている。
【００１６】
テレビ制御部１０において、端子Ｔ１，Ｔ２には水晶発振器１３が接続されている。水晶発振器１３は、抵抗Ｒ１、水晶振動子Ｚ、コンデンサＣ１およびＣ２から構成された公知のものであって、２７ＭＨｚのクロック信号をマイクロコンピュータ１２へ供給する。端子Ｔ３は、チューナ１でテレビ信号を受信している場合に「Ｈ（High）」の制御信号を出力し、チューナ１でテレビ信号を受信していない場合に「Ｌ（Low）」の制御信号を出力する制御端子である。水晶発振器１３の出力は、コンデンサＣ３および抵抗Ｒ２を介して、エミッタフォロワを構成するトランジスタＱのベースに与えられ、トランジスタＱと、このトランジスタＱのエミッタに接続された抵抗Ｒ６およびコンデンサＣ４とを介して、ＤＶＤ制御部２０へ供給されるようになっている。また、制御端子Ｔ３から出力される制御信号は、ダイオードＤを介してトランジスタＱのベースに与えられる。Ｒ３はトランジスタＱのベースとコレクタ間に接続された抵抗、Ｒ４はトランジスタＱのベースとアース間に接続された抵抗、Ｒ５はトランジスタＱのエミッタとアース間に接続された抵抗である。テレビ制御部１０を構成するＩＣには、３．３Ｖの駆動電源が与えられる。Ｃ５は、この駆動電源に含まれるリップルを除去するためのコンデンサである。ＤＶＤ制御部２０において、端子Ｔ４は、水晶発振器１３からの２７ＭＨｚのクロック信号が入力される入力端子である。
【００１７】
以上において、テレビ制御部１０は本発明における第１の制御部を構成し、ＤＶＤ制御部２０は本発明における第２の制御部を構成し、信号処理回路１１は本発明における第１の信号処理部を構成し、信号処理回路２１は本発明における第２の信号処理部を構成し、マイクロコンピュータ１２は本発明における第１のマイクロコンピュータを構成し、マイクロコンピュータ２２は本発明における第２のマイクロコンピュータを構成している。
【００１８】
次に、図１の回路の動作について説明する。ＤＶＤレコーダでディスクの記録再生が行われる場合は、チューナ１は動作しないので、テレビ制御部１０の制御端子Ｔ３から「Ｌ」の制御信号が出力される。このときダイオードＤは、アノード電位がカソード電位より低いため、非導通状態にある。したがって、トランジスタＱのベースには、３．３Ｖを抵抗Ｒ３，Ｒ４等で分圧したバイアス電圧が印加され、このバイアス電圧によりトランジスタＱの動作点が決まる。このときの動作点は、トランジスタＱのベースに与えられた水晶発振器１３の出力が歪むことなくエミッタ側に取り出されるように設定される。この結果、トランジスタＱのベースに与えられた２７ＭＨｚのクロック信号は、エミッタに接続された抵抗Ｒ６およびコンデンサＣ４を介して、ＤＶＤ制御部２０の入力端子Ｔ４に供給される。ＤＶＤ制御部２０では、入力端子Ｔ４に与えられたクロック信号に基づいて、マイクロコンピュータ２２が所定の制御を行う。
【００１９】
一方、ＤＶＤレコーダでディスクの記録再生を行わず、液晶テレビでテレビ放送を視聴する場合は、チューナ１が動作するので、テレビ制御部１０の制御端子Ｔ３から「Ｈ」の制御信号が出力される。このときダイオードＤは、アノード電位がカソード電位より高くなって、導通状態になる。したがって、制御端子Ｔ３から出力された「Ｈ」の制御信号がトランジスタＱのベースに印加され、ベースの電位が上昇する。この結果、トランジスタＱの動作点が大きく変位するので、トランジスタＱのベースに与えられた水晶発振器１３の出力は、エミッタ側に現れなくなる。したがって、水晶発振器１３からの２７ＭＨｚのクロック信号は、ＤＶＤ制御部２０の入力端子Ｔ４に供給されない。このため、テレビ用基板とＤＶＤ用基板とがケーブルで接続されていても、ケーブルには２７ＭＨｚの信号電流が流れないので、この信号に含まれる高調波がチューナ１の雑音源となることはない。
【００２０】
なお、図１において、水晶発振器１３からトランジスタＱのベースに至る信号経路は極力短くするのが好ましい。これは、両者間の信号経路が長くなると、水晶発振器１３とトランジスタＱとの間に流れる高調波がチューナ１のノイズ源となるので、チューナ受信時に発振出力のＤＶＤ側への供給をトランジスタＱによって遮断することによる実効性が損なわれるためである。したがって、水晶発振器１３とトランジスタＱとは可能な限り接近させて同一の基板（テレビ用基板）に搭載することが推奨される。
【００２１】
以上のように、第１実施形態においては、チューナ受信時に、制御端子Ｔ３から出力される「Ｈ」の制御信号をダイオードＤを介してトランジスタＱのベースに与え、ベース電位を上昇させてトランジスタＱの動作点を変化させることにより、水晶発振器１３からの発振出力がＤＶＤ制御部２０へ供給されるのを禁止するようにしている。このため、チューナ受信時には、テレビ側とディスク装置側とを接続するケーブルに高調波を含む電流が流れないので、水晶発振器１３を共用しても、チューナ１で受信したテレビ信号に輻射ノイズが混入することはなく、テレビ画面における画質の低下を防止することができる。
【００２２】
図２は、本発明の第２実施形態を示す電気回路図である。１は受信した放送信号から所定のチャンネルの信号を抽出するチューナ、１０は液晶テレビに対して設けられたテレビ制御部であって、信号処理回路１１およびマイクロコンピュータ１２を含む１個のＩＣから構成される。２０はＤＶＤレコーダに対して設けられたＤＶＤ制御部であって、信号処理回路２１およびマイクロコンピュータ２２を含む１個のＩＣから構成される。テレビ制御部１０はテレビ用基板（図示省略）に搭載され、ＤＶＤ制御部はＤＶＤ用基板（図示省略）に搭載されていて、両基板はケーブルで接続されている。以上の構成は、第１実施形態と同じである。
【００２３】
テレビ制御部１０において、端子Ｔ１，Ｔ２には水晶発振器１３が接続されている。水晶発振器１３は、抵抗Ｒ１、水晶振動子Ｚ、コンデンサＣ１およびＣ２から構成された公知のものであって、２７ＭＨｚのクロック信号をマイクロコンピュータ１２へ供給する。端子Ｔ３は、チューナ１でテレビ信号を受信している場合に「Ｈ（High）」の制御信号を出力し、チューナ１でテレビ信号を受信していない場合に「Ｌ（Low）」の制御信号を出力する制御端子である。水晶発振器１３の出力は、コンデンサＣ３および抵抗Ｒ２を介して、エミッタフォロワを構成するトランジスタＱ１のベースに与えられ、トランジスタＱ１と、このトランジスタＱ１のエミッタに接続された抵抗Ｒ６およびコンデンサＣ４とを介して、ＤＶＤ制御部２０へ供給されるようになっている。Ｒ３はトランジスタＱ１のベースとコレクタ間に接続された抵抗、Ｒ４はトランジスタＱ１のベースとアース間に接続された抵抗、Ｒ５はトランジスタＱ１のエミッタとアース間に接続された抵抗である。テレビ制御部１０を構成するＩＣには、３．３Ｖの駆動電源が与えられる。Ｃ５は、この駆動電源に含まれるリップルを除去するためのコンデンサである。ＤＶＤ制御部２０において、端子Ｔ４は、水晶発振器１３からの２７ＭＨｚのクロック信号が入力される入力端子である。以上の構成も、第１実施形態と同じである。
【００２４】
図２において図１と異なる点は、図１では、制御端子Ｔ３から出力される制御信号を、ダイオードＤを介してトランジスタＱのベースに与えるのに対し、図２では、制御端子Ｔ３から出力される制御信号を、トランジスタＱ１のエミッタ側に接続されたトランジスタＱ２のベースに与えるようにした点である。トランジスタＱ２のベースは、抵抗Ｒ７を介して制御端子Ｔ３に接続されており、エミッタは接地されている。また、トランジスタＱ２のコレクタは、抵抗Ｒ６とコンデンサＣ４との接続点に接続されている。
【００２５】
以上において、テレビ制御部１０は本発明における第１の制御部を構成し、ＤＶＤ制御部２０は本発明における第２の制御部を構成し、信号処理回路１１は本発明における第１の信号処理部を構成し、信号処理回路２１は本発明における第２の信号処理部を構成し、マイクロコンピュータ１２は本発明における第１のマイクロコンピュータを構成し、マイクロコンピュータ２２は本発明における第２のマイクロコンピュータを構成し、トランジスタＱ１は本発明における第１のトランジスタを構成し、トランジスタＱ２は本発明における第２のトランジスタを構成している。
【００２６】
次に、図２の回路の動作について説明する。ＤＶＤレコーダでディスクの記録再生が行われる場合は、チューナ１は動作しないので、テレビ制御部１０の制御端子Ｔ３から「Ｌ」の制御信号が出力される。この制御信号は、抵抗Ｒ７を介してトランジスタＱ２のベースに与えられるが、信号レベルが「Ｌ」のためトランジスタＱ２は非導通状態にある。また、トランジスタＱ１のベースには、３．３Ｖを抵抗Ｒ３，Ｒ４等で分圧したバイアス電圧が印加され、このバイアス電圧によりトランジスタＱ１の動作点が決まる。このときの動作点は、トランジスタＱ１のベースに与えられた水晶発振器１３の出力が歪むことなくエミッタ側に取り出されるように設定される。この結果、トランジスタＱ１のベースに与えられた２７ＭＨｚのクロック信号は、エミッタに接続された抵抗Ｒ６およびコンデンサＣ４を介して、ＤＶＤ制御部２０の入力端子Ｔ４に供給される。ＤＶＤ制御部２０では、入力端子Ｔ４に与えられたクロック信号に基づいて、マイクロコンピュータ２２が所定の制御を行う。
【００２７】
一方、ＤＶＤレコーダでディスクの記録再生を行わず、液晶テレビでテレビ放送を視聴する場合は、チューナ１が動作するので、テレビ制御部１０の制御端子Ｔ３から「Ｈ」の制御信号が出力される。この制御信号は、抵抗Ｒ７を介してトランジスタＱ２のベースに与えられ、信号レベルが「Ｈ」のためトランジスタＱ２は導通状態となる。この結果、抵抗Ｒ６とコンデンサＣ４との接続点はトランジスタＱ２により接地され、電位はゼロとなる。したがって、トランジスタＱ１のベースに与えられた水晶発振器１３の出力は、エミッタ側から取り出された後、トランジスタＱ２によって接地されるので、水晶発振器１３からの２７ＭＨｚのクロック信号は、ＤＶＤ制御部２０の入力端子Ｔ４に供給されない。このため、テレビ用基板とＤＶＤ用基板とがケーブルで接続されていても、ケーブルには２７ＭＨｚの信号電流が流れないので、この信号に含まれる高調波がチューナ１の雑音源となることはない。
【００２８】
なお、図２においても、水晶発振器１３からトランジスタＱ１のベースに至る信号経路は極力短くするのが好ましい。これは、両者間の信号経路が長くなると、水晶発振器１３とトランジスタＱ１との間に流れる高調波がチューナ１のノイズ源となるので、チューナ受信時に発振出力のＤＶＤ側への供給をトランジスタＱ２によって遮断することによる実効性が損なわれるためである。また、同様の理由により、トランジスタＱ１からトランジスタＱ２までの信号経路も極力短くするのが好ましい。したがって、水晶発振器１３とトランジスタＱ１，Ｑ２とは可能な限り接近させて同一の基板（テレビ用基板）に搭載することが推奨される。
【００２９】
以上のように、第２実施形態においては、チューナ受信時に、制御端子Ｔ３から出力される制御信号によりトランジスタＱ２を導通状態にしてトランジスタＱ１の出力を接地することにより、水晶発振器１３の出力がＤＶＤ制御部２０へ供給されるのを禁止するようにしている。このため、チューナ受信時には、テレビ側とディスク装置側とを接続するケーブルに高調波を含む電流が流れないので、水晶発振器１３を共用しても、チューナ１で受信したテレビ信号に輻射ノイズが混入することはなく、テレビ画面における画質の低下を防止することができる。
【００３０】
本発明では、上述した実施形態以外にも、種々の実施形態を採用することができる。例えば、図２の回路においては、チューナ受信時に水晶発振器１３の出力がＤＶＤ制御部２０に供給されるのを禁止するためのスイッチング素子として、トランジスタＱ２を用いた例を挙げたが、このスイッチング素子にはトランジスタだけでなく、例えばリレーの接点を用いてもよい。
【００３１】
また、上記実施形態においては、液晶テレビとＤＶＤレコーダとの複合機を例に挙げたが、本発明は、例えばプラズマテレビとＤＶＤレコーダとの複合機や、液晶テレビもしくはプラズマテレビとハードディスクレコーダとの複合機などにも適用することができる。
【図面の簡単な説明】
【００３２】
【図１】本発明の第１実施形態を示す電気回路図である。
【図２】本発明の第２実施形態を示す電気回路図である。
【符号の説明】
【００３３】
１    チューナ
１０  テレビ制御部
１１  信号処理回路
１２  マイクロコンピュータ
１３  水晶発振器
２０  ＤＶＤ制御部
２１  信号処理回路
２２  マイクロコンピュータ
Ｒ１〜Ｒ７  抵抗
Ｃ１〜Ｃ５  コンデンサ
Ｄ  ダイオード
Ｑ，Ｑ１，Ｑ２  トランジスタ
Ｔ３  制御端子
Ｚ    水晶振動子
【図１】
2007074052.tif 000003
【図２】
2007074052.tif 000004